(57)【特許請求の範囲】
【請求項１】
液晶表示部の背面に並設された複数の光源の駆動を制御するバックライト制御装置であって、
奇数番目の前記光源を駆動する第１駆動手段と、
偶数番目の前記光源を駆動する第２駆動手段と、
前記光源のいずれかに異常が発生すると、その光源に対応する前記第１駆動手段又は前記第２駆動手段の駆動を停止させる制御手段とを備え、
前記第１駆動手段は、前記奇数番目の光源の駆動を監視し、前記光源のいずれかに異常が発生した場合には、第１異常検出信号を出力し、
前記第２駆動手段は、前記偶数番目の光源の駆動を監視し、前記光源のいずれかに異常が発生した場合には、第２異常検出信号を出力し、
前記制御手段は、前記第１異常検出信号又は前記第２異常検出信号を出力した前記第１駆動手段又は前記第２駆動手段による前記光源の駆動を停止させ、
さらに、
前記第１駆動手段は、前記奇数番目の光源の駆動に要する電力を検出して第１電力検出信号を出力し、
前記第２駆動手段は、前記偶数番目の光源の駆動に要する電力を検出して第２電力検出信号を出力し、
前記制御手段は、前記第１電力検出信号及び前記第２電力検出信号に基づき、前記第１駆動手段及び前記第２駆動手段に、前記奇数番目の光源の駆動に要する電力と、前記偶数番目の光源の駆動に要する電力とを均一にさせるための電力制御信号を出力する
ことを特徴とするバックライト制御装置。
【請求項２】
前記制御手段は、前記第１駆動手段と前記第２駆動手段とによる駆動を位相をずらして制御することを特徴とする請求項１に記載のバックライト制御装置。
【請求項３】
請求項１又は２のいずれかのバックライト制御装置を備えることを特徴とするバックライト制御装置を備えた液晶テレビ。
【請求項４】
液晶表示部の背面に並設された複数の光源の駆動を制御するバックライト制御方法であって、
奇数番目の前記光源を駆動する第１駆動工程と、
偶数番目の前記光源を駆動する第２駆動工程と、
前記光源のいずれかに異常が発生すると、その光源に対応する前記第１駆動工程又は前記第２駆動工程での駆動を停止させる制御工程とを有し、
前記第１駆動工程では、前記奇数番目の光源の駆動を監視し、前記光源のいずれかに異常が発生した場合には、第１異常検出信号を出力し、
前記第２駆動工程では、前記偶数番目の光源の駆動を監視し、前記光源のいずれかに異常が発生した場合には、第２異常検出信号を出力し、
前記制御工程では、前記第１異常検出信号又は前記第２異常検出信号に基づき、これら第１異常検出信号又は第２異常検出信号を出力した駆動系による前記光源の駆動を停止させ、
さらに、
前記第１駆動工程では、前記奇数番目の光源の駆動に要する電力を検出して第１電力検出信号を出力し、
前記第２駆動工程では、前記偶数番目の光源の駆動に要する電力を検出して第２電力検出信号を出力し、
前記制御工程では、前記第１電力検出信号及び前記第２電力検出信号に基づき、前記奇数番目の光源の駆動に要する電力と、前記偶数番目の光源の駆動に要する電力とを均一にさせるための電力制御信号を出力する
ことを特徴とするバックライト制御方法。
【請求項５】
前記奇数番目の前記光源の駆動位相と、前記偶数番目の前記光源の駆動位相とをずらして制御する工程を有することを特徴とする請求項４に記載のバックライト制御方法。
【発明の詳細な説明】
【技術分野】
【０００１】
本発明は、複数の蛍光灯で構成されるバックライトの駆動を制御するバックライト制御装置、バックライト制御装置を備えた液晶テレビ、バックライト制御方法に関する。
【背景技術】
【０００２】
たとえば液晶テレビに搭載されている直下型のバックライトでは、画面のサイズにほぼ等しい長さの直管ランプが画面に対して水平又は垂直方向に適当なピッチで並列配置されている。
【０００３】
このような直下型のバックライトでは、複数本あるランプのうち１本が不点灯に到ると、そのランプ部分のみ暗くなり液晶画面を視聴する上で弊害になる。また、ランプが不点灯のまま使用し続けると、回路部品の加熱・高圧放電等様々な問題が発生し製品にダメージを与えるおそれがある。
【０００４】
このようなことから、少なくとも１本のランプが不点灯もしくは異常を来たしたときに、全てのランプの駆動を停止させてランプ交換を促す内容を表示させるか、あるいは液晶テレビのメイン電源をオフとすることで、ユーザにランプ交換が必要であることを認知させるようにしている。
【０００５】
ところで、このように少なくとも１本のランプが不点灯もしくは異常を来たしたときに、ランプの駆動を停止、あるいは液晶テレビのメイン電源をオフとすると、ランプ交換の保守サービスが完了するまでの間、テレビ視聴ができなくなってしまう。
【０００６】
このような場合、特許文献１に示されているように、少なくとも１本のランプが不点灯もしくは異常を来たしたときに、その故障個所のランプのみの駆動を停止させ、併せて故障履歴に応じた履歴情報を必要に応じてＯＳＤ表示させることで、ランプ交換の保守サービスが完了するまでの間、テレビ視聴を継続することが可能となる。
【特許文献１】特開２００４−０５３９８８号公報
【発明の開示】
【発明が解決しようとする課題】
【０００７】
ところが、特許文献１のように、少なくとも１本のランプが不点灯もしくは異常を来たしたときに、故障個所のランプのみの駆動を停止させても、残りの正常なランプの駆動によってテレビ視聴は可能である。
【０００８】
ところが、残りの正常なランプの駆動によってテレビ視聴を行った場合、故障個所のランプ部分のみが暗くなり、液晶画面全体では駆動が停止されたランプ部分と正常なランプ部分とに輝度ムラが生じ、上述したように液晶画面を視聴する上で弊害になるという問題があった。
【０００９】
本発明は、このような状況に鑑みてなされたものであり、上記問題点を解決することができるバックライト制御装置、バックライト制御装置を備えた液晶テレビ、バックライト制御方法を提供することを目的とする。
【課題を解決するための手段】
【００１０】
本発明のバックライト制御装置は、液晶表示部の背面に並設された複数の光源の駆動を制御するバックライト制御装置であって、奇数番目の前記光源を駆動する第１駆動手段と、  偶数番目の前記光源を駆動する第２駆動手段と、前記光源のいずれかに異常が発生すると、その光源に対応する前記第１駆動手段又は前記第２駆動手段の駆動を停止させる制御手段とを備え、前記第１駆動手段は、前記奇数番目の光源の駆動を監視し、前記光源のいずれかに異常が発生した場合には、第１異常検出信号を出力し、前記第２駆動手段は、前記偶数番目の光源の駆動を監視し、前記光源のいずれかに異常が発生した場合には、第２異常検出信号を出力し、前記制御手段は、前記第１異常検出信号又は前記第２異常検出信号を出力した前記第１駆動手段又は前記第２駆動手段による前記光源の駆動を停止させ、さらに、前記第１駆動手段は、前記奇数番目の光源の駆動に要する電力を検出して第１電力検出信号を出力し、前記第２駆動手段は、前記偶数番目の光源の駆動に要する電力を検出して第２電力検出信号を出力し、前記制御手段は、前記第１電力検出信号及び前記第２電力検出信号に基づき、前記第１駆動手段及び前記第２駆動手段に、前記奇数番目の光源の駆動に要する電力と、前記偶数番目の光源の駆動に要する電力とを均一にさせるための電力制御信号を出力することを特徴とする。
また、前記制御手段は、前記第１駆動手段と前記第２駆動手段とによる駆動を位相をずらして制御するようにすることができる。
本発明の液晶テレビは、請求項１又は２のいずれかのバックライト制御装置を備えることを特徴とする。
本発明のバックライト制御方法は、液晶表示部の背面に並設された複数の光源の駆動を制御するバックライト制御方法であって、奇数番目の前記光源を駆動する第１駆動工程と、偶数番目の前記光源を駆動する第２駆動工程と、前記光源のいずれかに異常が発生すると、その光源に対応する前記第１駆動工程又は前記第２駆動工程での駆動を停止させる制御工程とを有し、前記第１駆動工程では、前記奇数番目の光源の駆動を監視し、前記光源のいずれかに異常が発生した場合には、第１異常検出信号を出力し、前記第２駆動工程では、前記偶数番目の光源の駆動を監視し、前記光源のいずれかに異常が発生した場合には、第２異常検出信号を出力し、前記制御工程では、前記第１異常検出信号又は前記第２異常検出信号に基づき、これら第１異常検出信号又は第２異常検出信号を出力した駆動系による前記光源の駆動を停止させ、さらに、前記第１駆動工程では、前記奇数番目の光源の駆動に要する電力を検出して第１電力検出信号を出力し、前記第２駆動工程では、前記偶数番目の光源の駆動に要する電力を検出して第２電力検出信号を出力し、前記制御工程では、前記第１電力検出信号及び前記第２電力検出信号に基づき、前記奇数番目の光源の駆動に要する電力と、前記偶数番目の光源の駆動に要する電力とを均一にさせるための電力制御信号を出力することを特徴とする。
また、前記奇数番目の前記光源の駆動位相と、前記偶数番目の前記光源の駆動位相とをずらして制御する工程を有するようにすることができる。
本発明のバックライト制御装置、バックライト制御装置を備えた液晶テレビ、バックライト制御方法では、第１駆動手段によって奇数番目の光源が駆動され、第２駆動手段によって偶数番目の光源が駆動され、光源のいずれかに異常が発生すると、制御手段によりその光源に対応する第１駆動手段又は第２駆動手段の駆動が停止される。すなわち、複数の光源は、２系統の駆動手段によって１つおきに駆動されるため、いずれかの光源に異常が発生した場合、奇数番目の光源又は偶数番目の光源のみを駆動することができ、液晶表示部の全体の輝度の低下はあるものの、輝度ムラの無い状態に維持できる。
【発明の効果】
【００１１】
本発明のバックライト制御装置、バックライト制御装置を備えた液晶テレビ、バックライト制御方法によれば、複数の光源を、２系統の駆動手段によって１つおきに駆動させることができ、いずれかの光源に異常が発生した場合、奇数番目の光源又は偶数番目の光源のみを駆動させることで、液晶表示部の全体の輝度の低下はあるものの、輝度ムラの無い状態に維持されることから、ランプ交換の保守サービスが完了するまでの間、輝度ムラの無い状態での視聴を行うことができる。
【発明を実施するための最良の形態】
【００１２】
本実施形態では、第１駆動手段によって奇数番目の光源が駆動され、第２駆動手段によって偶数番目の光源が駆動され、光源のいずれかに異常が発生すると、制御手段によりその光源に対応する第１駆動手段又は第２駆動手段の駆動が停止されるようにした。すなわち、複数の光源を、２系統の駆動手段によって１つおきに駆動させ、いずれかの光源に異常が発生した場合、奇数番目の光源又は偶数番目の光源のみを駆動することで、液晶表示部の全体の輝度の低下はあるものの、輝度ムラの無い状態に維持できる。これにより、ランプ交換の保守サービスが完了するまでの間、輝度ムラの無い状態での視聴が行われる。
【実施例】
【００１３】
図１は、本発明のバックライト制御装置の一実施形態を示すブロック図、図２及び図３は、図１のバックライト制御装置によるバックライト制御方法を説明するための図である。
【００１４】
図１に示すように、バックライト制御装置は、図示しない液晶表示部の背面に並設された複数の光源である蛍光灯１１ａ〜１１ｄ，１２ａ〜１２ｄを有するバックライト１０を駆動する第１駆動系２０及び第２駆動系３０と、これら第１駆動系２０及び第２駆動系３０による駆動を制御するマイコン４０とを備えている。
【００１５】
第１駆動手段としての第１駆動系２０は、奇数番目の蛍光灯１１ａ〜１１ｄを駆動するものであり、駆動回路（１）２１、電圧検出回路（Ｖ１）２２、電圧検出回路（Ｖ２）２３、演算回路２４を備えている。
【００１６】
駆動回路（１）２１は、マイコン４０からのON/OFFの制御信号（１）、電力制御信号（１）に基づいて蛍光灯１１ａ〜１１ｄを駆動する。また、駆動回路（１）２１は、マイコン４０からの制御信号（１）がOFFである場合、蛍光灯１１ａ〜１１ｄの駆動を停止する。
【００１７】
電圧検出回路（Ｖ１）２２は、蛍光灯１１ａ〜１１ｄの駆動ライン２６に設けられた電圧、電流検出用の微小抵抗２５の一端の電圧（Ｖ１）を検出する。電圧検出回路（Ｖ２）２３は、蛍光灯１１ａ〜１１ｄの駆動ライン２６に設けられた電圧、電流検出用の微小抵抗２５の他端の電圧（Ｖ２）を検出する。なお、電圧検出回路（Ｖ１）２２、電圧検出回路（Ｖ２）２３は、レベル変換回路、あるいはクランプ回路、積分回路で構成することができる。
【００１８】
演算回路２４は、電圧検出回路（Ｖ１）２２及び電圧検出回路（Ｖ２）２３によって検出された電圧（Ｖ１，Ｖ２）に基づく演算により、電圧異常、電流異常、電力を検出し、マイコン４０に第１異常信号としての異常検出信号（１）、第１電力検出信号としての電力検出信号（１）を出力する。
【００１９】
すなわち、演算回路２４は、電圧検出回路（Ｖ１）２２及び電圧検出回路（Ｖ２）２３によって検出された電圧（Ｖ１，Ｖ２）と、基準電圧との比較により、たとえば検出された電圧（Ｖ１，Ｖ２）が基準電圧を下回っている場合、電圧異常であると判定する。
【００２０】
また、演算回路２４は、電圧検出回路（Ｖ１）２２及び電圧検出回路（Ｖ２）２３によって検出された電圧（Ｖ１，Ｖ２）の演算から電流を算出し、たとえば規定電流を下回っている場合、電流異常であると判定する。そして、電圧異常、電流異常と判定すると、異常検出信号（１）を出力する。
【００２１】
また、演算回路２４は、電圧異常、電流異常であるか否かに関わらず、検出された電圧（Ｖ１，Ｖ２）と、この電圧（Ｖ１，Ｖ２）の演算により算出した電流とからの演算によって電力を算出し、電力検出信号（１）を出力する。
【００２２】
第２駆動手段としての第２駆動系３０は、偶数番目の蛍光灯１２ａ〜１２ｄを駆動するものであり、駆動回路（２）３１、電圧検出回路（Ｖ３）３２、電圧検出回路（Ｖ４）３３、演算回路３４を備えている。
【００２３】
駆動回路（２）３１は、マイコン４０からのON/OFFの制御信号（２）、電力制御信号（２）に基づいて蛍光灯１２ａ〜１２ｄを駆動する。また、駆動回路（２）３１は、マイコン４０からの制御信号（２）がOFFである場合、蛍光灯１２ａ〜１２ｄの駆動を停止する。電圧検出回路（Ｖ３）３２は、蛍光灯１２ａ〜１２ｄの駆動ライン３６に設けられた電圧、電流検出用の微小抵抗３５の一端の電圧（Ｖ３）を検出する。
【００２４】
電圧検出回路（Ｖ４）３３は、蛍光灯１２ａ〜１２ｄの駆動ライン３６に設けられた電圧、電流検出用の微小抵抗３５の他端の電圧（Ｖ４）を検出する。なお、電圧検出回路（Ｖ３）３２、電圧検出回路（Ｖ４）３３は、レベル変換回路、あるいはクランプ回路、積分回路で構成することができる。
【００２５】
演算回路３４は、電圧検出回路（Ｖ３）３２及び電圧検出回路（Ｖ４）３３によって検出された電圧（Ｖ３，Ｖ４）に基づく演算により、電圧異常、電流異常、電力を検出し、マイコン４０に第２異常検出信号としての異常検出信号（２）、第２電力検出信号としての電力検出信号（２）を出力する。
【００２６】
すなわち、演算回路３４は、電圧検出回路（Ｖ３）３２及び電圧検出回路（Ｖ４）３３によって検出された電圧（Ｖ３，Ｖ４）と、基準電圧との比較により、たとえば検出された電圧（Ｖ３，Ｖ４）が基準電圧を下回っている場合、電圧異常であると判定する。
【００２７】
また、演算回路３４は、電圧検出回路（Ｖ３）３２及び電圧検出回路（Ｖ４）３３によって検出された電圧（Ｖ３，Ｖ４）の演算から電流を算出し、たとえば規定電流を下回っている場合、電流異常であると判定する。そして、電圧異常、電流異常と判定すると、異常検出信号（２）を出力する。
【００２８】
また、演算回路３４は、電圧異常、電流異常であるか否かに関わらず、検出された電圧（Ｖ３，Ｖ４）と、この電圧（Ｖ３，Ｖ４）の演算により算出した電流とからの演算によって電力を算出し、電力検出信号（２）を出力する。
【００２９】
制御手段としてのマイコン４０は、第１駆動系２０及び第２駆動系３０の演算回路２４，３４からの電力検出信号（１），（２）に基づき、蛍光灯１１ａ〜１１ｄ，１２ａ〜１２ｄの輝度を均一とするための電力制御信号（１），（２）を駆動回路（１）２１及び駆動回路（２）３１に出力する。これにより、駆動系が２つであっても、相互の駆動電力に大きな差異が生じないようにすることができる。
【００３０】
また、マイコン４０は、電力制御信号（１），（２）を駆動回路（１）２１及び駆動回路（２）３１に出力する際、駆動回路（１）２１及び駆動回路（２）３１における駆動位相がたとえば９０°ずらされるように出力する。これにより、ピーク電流位相の分散による部品に与えるストレスの低減と、ノイズ発生タイミングのずれによるノイズパワーの重畳による蛍光灯ノイズの低減とが図れる。
【００３１】
また、マイコン４０は、演算回路２４又は演算回路３４から異常検出信号（１）又は（２）を受け取ると、該当する駆動回路（１）２１又は駆動回路（２）３１にOFFの制御信号（１）又は（２）を出力する。そして、駆動回路（１）２１又は駆動回路（２）３１により、異常のあった蛍光灯１１ａ〜１１ｄ又は蛍光灯１２ａ〜１２ｄの駆動が停止される。この場合、図示しない液晶表示部の全体の輝度は低下するが、蛍光灯１１ａ〜１１ｄ又は蛍光灯１２ａ〜１２ｄは１本おきとなっているため、ランプ交換の保守サービスが完了するまでの間、輝度ムラの無い視聴が可能となる。
【００３２】
次に、バックライト制御方法について説明する。
まず、図２に示すように、バックライト１０が駆動されるとき、マイコン４０から第１駆動系２０及び第２駆動系３０の駆動回路（１）２１及び駆動回路（２）３１にONの制御信号（１），（２）と電力制御信号（１），（２）とが出力される（ステップＳ１，Ｓ２）。 
【００３３】
この場合の電力制御信号（１），（２）は、上述したように、蛍光灯１１ａ〜１１ｄ，１２ａ〜１２ｄの輝度を均一とするような信号である。また、電力制御信号（１），（２）は、上述したように、ピーク電流位相の分散による部品に与えるストレスの低減と、ノイズ発生タイミングのずれによるノイズパワーの重畳による蛍光灯ノイズの低減とを図るために、駆動回路（１）２１及び駆動回路（２）３１における駆動位相がたとえば９０°ずれるように出力される。 
【００３４】
これにより、駆動回路（１）２１及び駆動回路（２）３１により、奇数番目の蛍光灯１１ａ〜１１ｄ及び偶数番目の蛍光灯１２ａ〜１２ｄが個別に駆動され、図示しない液晶表示部の全体での輝度が均一化される。
【００３５】
このとき、第１駆動系２０では、電圧検出回路（Ｖ１）２２により、蛍光灯１１ａ〜１１ｄの駆動ライン２６に設けられた電圧、電流検出用の微小抵抗２５の一端の電圧（Ｖ１）が検出される。また、電圧検出回路（Ｖ２）２３により、その微小抵抗２５の他端の電圧（Ｖ２）が検出される。
【００３６】
電圧（Ｖ１，Ｖ２）が検出されると、演算回路２４により、その電圧（Ｖ１，Ｖ２）に基づいた演算により、電圧異常、電流異常、電力が検出される（ステップＳ３）。すなわち、検出された電圧（Ｖ１，Ｖ２）と、基準電圧との比較により、たとえば検出された電圧（Ｖ１，Ｖ２）が基準電圧を下回っている場合、電圧異常であると判定される。
【００３７】
また、検出された電圧（Ｖ１，Ｖ２）の演算から電流が算出され、たとえば規定電流を下回っている場合、電流異常であると判定される。そして、電圧異常、電流異常でない場合は異常検出信号（１）の出力が行われないが、電圧異常、電流異常であると判定されると（ステップＳ４）、異常検出信号（１）が出力される（ステップＳ５）。
【００３８】
また、電圧異常、電流異常であるか否かに関わらず、検出された電圧（Ｖ１，Ｖ２）と、この電圧（Ｖ１，Ｖ２）の演算により算出された電流とからの演算によって電力が算出され、電力検出信号（１）が出力される。
【００３９】
一方、第２駆動系３０では、電圧検出回路（Ｖ３）３２により、蛍光灯１２ａ〜１２ｄの駆動ライン３６に設けられた電圧、電流検出用の微小抵抗３５の一端の電圧（Ｖ３）が検出される。また、電圧検出回路（Ｖ４）３３により、その微小抵抗３５の他端の電圧（Ｖ４）が検出される。
【００４０】
電圧（Ｖ３，Ｖ４）が検出されると、演算回路３４により、その電圧（Ｖ３，Ｖ４）に基づく演算によって、電圧異常、電流異常、電力が検出される（ステップＳ６）。すなわち、検出された電圧（Ｖ３，Ｖ４）と、基準電圧との比較により、たとえば検出された電圧（Ｖ３，Ｖ４）が基準電圧を下回っている場合、電圧異常であると判定される。
【００４１】
また、検出された電圧（Ｖ３，Ｖ４）の演算から電流が算出され、たとえば規定電流を下回っている場合、電流異常であると判定される。そして、電圧異常、電流異常でない場合は異常検出信号（２）の出力が行われないが、電圧異常、電流異常であると判定されると（ステップＳ７）、異常検出信号（２）が出力される（ステップＳ８）。
【００４２】
また、電圧異常、電流異常であるか否かに関わらず、検出された電圧（Ｖ３，Ｖ４）と、この電圧（Ｖ３，Ｖ４）の演算により算出された電流とからの演算によって電力が算出され、電力検出信号（２）が出力される。
【００４３】
ここで、たとえば第１駆動系２０の演算回路２４から異常検出信号（１）が出力されたとすると、マイコン４０から第１駆動系２０の駆動回路（１）２１にOFFの制御信号（１）が出力される（ステップＳ９）。これにより、駆動回路（１）２１により、異常のあった奇数番目の蛍光灯１１ａ〜１１ｄの駆動が停止される（ステップＳ１０）。
【００４４】
この場合、図３に示すように、奇数番目の蛍光灯１１ａ〜１１ｄが駆動停止であっても、正常な偶数番目の蛍光灯１２ａ〜１２ｄは駆動されるため、図示しない液晶表示部の全体の輝度は低下するが、蛍光灯１２ａ〜１２ｄは１本おきとなっていることから、輝度ムラの無い状態に維持される。これにより、ランプ交換の保守サービスが完了するまでの間、輝度ムラの無い視聴が可能となる。
【００４５】
このように、本実施形態では、第１駆動系２０により奇数番目の蛍光灯１１ａ〜１１ｄが駆動され、第２駆動系３０によって偶数番目の蛍光灯１２ａ〜１２ｄが駆動され、蛍光灯１１ａ〜１１ｄ，１２ａ〜１２ｄのいずれかに異常が発生すると、マイコン４０により異常が発生した蛍光灯１１ａ〜１１ｄ，１２ａ〜１２ｄに対応する第１駆動系２０又は第２駆動系３０の駆動が停止されるようにした。すなわち、複数の蛍光灯１１ａ〜１１ｄ，１２ａ〜１２ｄを、２系統の駆動手段によって１つおきに駆動させ、たとえばいずれかの蛍光灯１１ａ〜１１ｄ，１２ａ〜１２ｄに異常が発生した場合、奇数番目の蛍光灯１１ａ〜１１ｄ又は偶数番目の蛍光灯１２ａ〜１２ｄのみが駆動されることになる。
【００４６】
具体的には、第１駆動系２０により奇数番目の蛍光灯１１ａ〜１１ｄの駆動を監視し、蛍光灯１１ａ〜１１ｄのいずれかに異常が発生した場合には、異常検出信号（１）を出力し、第２駆動系３０により偶数番目の蛍光灯１２ａ〜１２ｄの駆動を監視し、蛍光灯１２ａ〜１２ｄのいずれかに異常が発生した場合には、異常検出信号（２）を出力し、マイコン４０により異常検出信号（１）又は異常検出信号（２）を出力した第１駆動系２０又は第２駆動系３０による蛍光灯１１ａ〜１１ｄ又は１２ａ〜１２ｄの駆動を停止させるようした。
【００４７】
これにより、液晶表示部の全体の輝度の低下はあるものの、輝度ムラの無い状態に維持できることから、ランプ交換の保守サービスが完了するまでの間、輝度ムラの無い状態での視聴を行うことができる。
【００４８】
また、本実施形態では、第１駆動系２０により、奇数番目の蛍光灯１１ａ〜１１ｄの駆動に要する電力を検出して電力検出信号（１）を出力し、第２駆動系３０により、偶数番目の蛍光灯１２ａ〜１２ｄの駆動に要する電力を検出して電力検出信号（２）を出力し、マイコン４０により、電力検出信号（１）及び電力検出信号（２）に基づき、第１駆動系２０及び第２駆動系３０に、奇数番目の蛍光灯１１ａ〜１１ｄの駆動に要する電力と、偶数番目の蛍光灯１２ａ〜１２ｄの駆動に要する電力とを均一にさせるための電力制御信号を出力するようにしたので、２つの駆動系による駆動電力の差異によっての輝度ムラの低減を図ることが可能となる。
【００４９】
また、本実施形態では、マイコン４０により、第１駆動系２０と第２駆動系３０とによっての駆動位相をたとえば９０°ずらすように制御しているため、ピーク電流位相の分散による部品に与えるストレスの低減と、ノイズ発生タイミングのずれによるノイズパワーの重畳による蛍光灯ノイズの低減とを図ることができる。
【００５０】
なお、本実施形態では、マイコン４０により異常検出信号（１）又は異常検出信号（２）を出力した第１駆動系２０又は第２駆動系３０による蛍光灯１１ａ〜１１ｄ又は１２ａ〜１２ｄの駆動を停止させるようした場合について説明したが、これに併せてマイコン４０により、図示しない表示制御回路にランプ異常を通知し、その表示制御回路によってランプ異常がＯＳＤ表示されるようにしてもよい。
【産業上の利用可能性】
【００５１】
液晶テレビに限らず、バックライトによって情報を表示する表示装置においても適用可能である。
【図面の簡単な説明】
【００５２】
【図１】本発明のバックライト制御装置の一実施形態を示すブロック図である。
【図２】図１のバックライト制御装置によるバックライト制御方法を説明するためのフローチャートである。
【図３】図１のバックライト制御装置によるバックライト制御方法を説明するための図である。
【符号の説明】
【００５３】
１０  バックライト 
１１ａ〜１１ｄ，１２ａ〜１２ｄ  蛍光灯
２０  第１駆動系（第１駆動手段） 
２１  駆動回路（１）
２２  電圧検出回路（Ｖ１） 
２３  電圧検出回路（Ｖ２） 
２４，３４  演算回路
２５，３５  微小抵抗
２６，３６  駆動ライン 
３０  第２駆動系（第２駆動手段） 
３１  駆動回路（２） 
３２  電圧検出回路（Ｖ３） 
３３  電圧検出回路（Ｖ４） 
３４  演算回路 
４０  マイコン（制御手段） 
【図１】
0004518402.tif 000002
【図２】
0004518402.tif 000003
【図３】
0004518402.tif 000004